(57)【特許請求の範囲】
【請求項１】
複数のブランチを使用したダイバーシチ受信を行うダイバーシチ受信装置であって、
受信品質を検出する受信品質検出部と、
ダイバーシチ受信時に、前記受信品質検出部で検出した受信品質が予め設定した第１の閾値以上であればダイバーシチ利得を一定値低下させ、前記ダイバーシチ利得を一定値低下させた後に更に前記受信品質検出部で検出した受信品質の値が予め設定した第２の閾値以上であれば、予め設定したブランチ又は受信品質の低いブランチの受信動作を停止する制御部と、
を備えるダイバーシチ受信装置。
【請求項２】
前記ダイバーシチ受信装置は、更に、
ダイバーシチ受信動作をオン／オフする比率を前記制御部からの指示に応じて切替えるダイバー合成／非合成切替え部を備え、
前記制御部は、前記ダイバー合成／非合成切替え部に対し、前記ダイバーシチ受信動作をオンする比率を下げるよう指示することで、前記ダイバーシチ利得を一定値低下させる請求項１に記載のダイバーシチ受信装置。
【請求項３】
前記制御部は、ダイバーシチ受信時に、予め設定したブランチ又は受信品質の低いブランチの高周波増幅部の利得を制御すること、もしくは、各ブランチの出力に対する重み付けを調整することのいずれかにより、前記ダイバーシチ利得を一定値低下させる請求項１に記載のダイバーシチ受信装置。
【請求項４】
前記制御部は、ダイバーシチ受信時に受信品質が前記第１の閾値以上の状態を時間ｔ１以上継続して得られた場合にダイバーシチ利得を低下させ、そして、時間ｔ１を超えて時間ｔ２後の受信品質が前記第２の閾値以上得られた場合に、さらにダイバーシチ利得を低下させ、
そして、ダイバーシチ利得を予め設定した下限まで低下させた状態で時間ｔ２後の受信品質が前記第２の閾値以上得られれば該当ブランチの停止制御を行い、ダイバーシチ利得を低下させて時間ｔ２後の受信品質が前記第２の閾値未満の場合は利得可変動動作を中止する請求項１乃至請求項３のいずれか一項に記載のダイバーシチ受信装置。
【請求項５】
前記制御部は、ＯＦＤＭ変調された信号に対し、時間インターリーブの範囲を決める伝送パラメータが変更された場合には時間インターリーブパラメータに対して予め設定された時間ｔ２を時間ｔ３に変更する請求項４に記載のダイバーシチ受信装置。
【請求項６】
前記制御部は、受信動作を停止したブランチの全回路又は一部の回路への電源供給を遮断する請求項１乃至請求項５のいずれか一項に記載のダイバーシチ受信装置。
【請求項７】
請求項１乃至請求項６のいずれか一項に記載のダイバーシチ受信装置を備えた携帯端末。
【請求項８】
複数のブランチを使用したダイバーシチ受信を行うダイバーシチ受信方法であって、
受信品質を検出する受信品質検出ステップと、
ダイバーシチ受信時に、前記受信品質検出ステップで検出した受信品質が予め設定した第１の閾値以上であればダイバーシチ利得を一定値低下させ、前記ダイバーシチ利得を一定値低下させた後に更に前記受信品質検出ステップで検出した受信品質の値が予め設定した第２の値以上であれば、予め設定したブランチ又は受信品質の低いブランチの受信動作を停止する制御ステップと、
を含むダイバーシチ受信方法。
【請求項９】
複数のブランチを使用したダイバーシチ受信と単一のブランチを使用したシングル受信とを切替えるダイバーシチ受信装置であって、
ダイバーシチ受信動作をオン／オフする比率を周期的又はランダムに制御することでダイバーシチ利得を可変するダイバー合成／非合成切替え部と、
受信品質を検出する受信品質検出部と、
ダイバーシチ受信時に、前記ダイバー合成／非合成切替え部を制御してダイバーシチ利得を一定値低下させるとともに、一定値低下させた後に前記受信品質検出部で検出した受信品質の値が予め設定した値以上であれば予め設定したブランチ又は受信品質の低いブランチの受信動作を停止する制御部と、
を備えるダイバーシチ受信装置。
【請求項１０】
複数のブランチを使用したダイバーシチ受信と単一のブランチを使用したシングル受信とを切替えるダイバーシチ受信装置であって、
ダイバーシチ受信とシングル受信を切替えるダイバー合成／非合成切替え部と、
受信品質を検出する受信品質検出部と、
ダイバーシチ受信時に受信品質が第１の閾値以上の状態を時間ｔ１以上継続して得られた場合にダイバーシチ利得を低下させ、そして、時間ｔ１を超えて時間ｔ２後の受信品質が第２の閾値以上得られた場合に、さらにダイバーシチ利得を低下させ、そして、ダイバーシチ利得を予め設定した下限まで低下させた状態で時間ｔ２後の受信品質が前記第２の閾値以上得られれば該当ブランチの停止制御を行い、ダイバーシチ利得を低下させて時間ｔ２後の受信品質が前記第２の閾値未満の場合は利得可変動作を中止する制御部と、
を備えるダイバーシチ受信装置。
【請求項１１】
前記制御部は、ＯＦＤＭ変調された信号に対し、時間インターリーブの範囲を決める伝送パラメータが変更された場合には時間インターリーブパラメータに対して予め設定された時間ｔ２を時間ｔ３に変更する請求項１０に記載のダイバーシチ受信装置。
【発明の詳細な説明】
【技術分野】
【０００１】
本発明は、複数の受信系を備えてダイバーシチ受信が可能なダイバーシチ受信装置に関する。
【背景技術】
【０００２】
従来、図７のブロック図に示すように複数の受信系を備えてダイバーシチ受信を行うダイバーシチ受信装置が提案されている（例えば、特許文献１参照）。この図に示す従来のダイバーシチ受信装置は、ダイバーシテアンテナとして用いられる２本のアンテナ１０１，１０２と、アンテナ１０１で捉えられたデジタル変調波信号から所望のチャンネルの選局を行うチューナ部１０３と、アンテナ１０２で捉えられたデジタル変調波信号から所望のチャンネルの選局を行うチューナ部１０４と、チューナ部１０３で選局されたチャンネルの信号を復調する復調部１０５と、チューナ部１０４で選局されたチャンネルの信号を復調する復調部１０６と、復調部１０５で復調された信号と復調部１０６で復調された信号を合成する合成部１０７と、復調部１０５で復調された信号と復調部１０６で復調された信号を基に受信電界強度を検出する受信電界検出部１０８と、受信電界検出部１０８で検出された受信電界強度を基にフェージングピッチを検出するフェージングピッチ検出部１０９と、フェージングピッチ検出部１０９で検出されたフェージングピッチと受信電界強度検出部１０８で検出された受信電界強度とを基に合成部１０７における信号の合成と停止を判定する合成停止判定部１１０と、ダイバーシチ動作を停止した際に電源を遮断する該当ブロックの電源をオン／オフ制御する電源制御部１１１とから構成される。
【０００３】
なお、アンテナ１０１、チューナ部１０３及び復調部１０５とアンテナ１０２、チューナ部１０４及び復調部１０６がそれぞれ１つの受信系を構成する。前者の受信系を第１のブランチ１２００と呼び、後者の受信系を第２のブランチ１３００と呼ぶ。
【０００４】
次に、上記構成のダイバーシチ受信装置の動作を説明する。チューナ部１０３がアンテナ１０１で捉えられたデジタル変調波信号から所望のチャンネルの選局を行う。また同時にチューナ部１０４がアンテナ１０２で捉えられたデジタル変調波信号から所望のチャンネルの選局を行う。チューナ部１０３によって選局されたチャンネルの信号が復調部１０５によって復調されると共に、チューナ部１０４によって選局されたチャンネルの信号が復調部１０６によって復調される。そして、復調部１０５及び１０６それぞれで復調された信号が合成部１０７にて合成されて復調データとして出力される。また、復調部１０５及び１０６それぞれにおいて復調された信号が受信電界検出部１０８に入力されて電界強度値が算出される。受信電界検出部１０８で算出された電界強度値がフェージングピッチ検出部１０９に入力されて、フェージングピッチが検出される。
【０００５】
そして、フェージングピッチと電界強度値が合成停止判定部１１０に入力されて、フェージングピッチの値より合成を停止させるのに最適な閾値が算出される。そして、電界強度値が該閾値を満たしていると、合成部１０７に合成動作を停止する命令が与えられる。また、電源制御部１１１に不要となるブランチへの電源の供給を停止する命令が与えられる。例えば第１のブランチ１２００への電源の供給を停止する命令が与えられると、第１のブランチ１２００への電源の供給が停止する。これにより、第２のブランチ１３００からの復調信号のみが合成部１０７に入力される。そして、第２のブランチ１３００からの復調信号が復調データとして出力される。このように、従来のダイバーシチ受信装置は、フェージングピッチの検出後、現フェージング環境下での最適なダイバーシチ停止条件を判断してから、合成の停止や不要なブランチへの電源の供給を停止することで低消費電力化を実現している。
【０００６】
【特許文献１】特開２０００−３５７９８３号公報
【発明の開示】
【発明が解決しようとする課題】
【０００７】
しかしながら、従来のダイバーシチ受信装置は、ダイバーシチ受信を行うか否かの判定を電界強度やフェージングピッチに基づいて行うようにしているため、受信電界強度を検出するための受信電界検出部１０８とフェージングピッチを検出するためのフェージングピッチ検出部１０９を有する分、回路規模が大きくなりコストが嵩むという問題がある。
【０００８】
また、フェージング環境下ではドップラ効果による電界強度のレベル変動が発生するが、電界変動のレベルを測定する時間がフェージングピッチ周期より小さい場合は、その測定時間内に電界レベルが数周期存在することから電界レベルを安定して測定することができる。しかし、電界変動のレベルを測定する時間がフェージングピッチ周期より大きい場合は、その測定時間内にレベル変動が途中の状態で存在することになり、電界レベルを正しい値で測定することができず、フェージングピッチを正しく算出することが困難である。このため、誤判定によりダイバーシチを停止させてしまって受信品質を低下させたり、ダイバーシチの停止判定ができなかったりすることによる消費電力の削減割合を低下させたりする問題もある。
【０００９】
本発明は、係る事情に鑑みてなされたものであり、電界強度やフェージングピッチを検出することなく、一定の受信品質を保ちながら消費電力を最大限削減することができるダイバーシチ受信装置を提供することを目的とする。
【課題を解決するための手段】
【００１０】
上記目的は下記構成及び方法により達成される。
本発明のダイバーシチ受信装置は、複数のブランチを使用したダイバーシチ受信と単一のブランチを使用したシングル受信とを切替えるダイバーシチ受信装置において、ダイバーシチ受信とシングル受信を切替えるダイバー合成／非合成切替え部と、受信品質を検出する受信品質検出部と、ダイバーシチ受信時に前記ダイバー合成／非合成切替え部を制御してダイバーシチ利得を一定値低下させた後、前記受信品質検出部で検出された受信品質が予め設定した値以上であれば予め設定したブランチ又は受信品質の低いブランチの受信動作を停止する制御部と、を備える。
【００１１】
本発明のダイバーシチ受信装置において、前記制御部は、受信動作を停止したブランチの全回路又は一部の回路への電源供給を遮断する。
【００１２】
本発明のダイバーシチ受信装置において、前記ダイバー合成／非合成切替え部は、ダイバーシチ受信動作をオン／オフする比率を周期的又はランダムに制御することでダイバーシチ利得を可変する。
【００１３】
本発明のダイバーシチ受信装置において、前記ダイバー合成／非合成切替え部は、前記ブランチ間の利得差を検出し、その結果に応じてダイバー合成／非合成切替え部を制御する。
【００１４】
本発明のダイバーシチ受信装置において、前記制御部は、ダイバーシチ受信時に受信品質が第１の閾値以上の状態を時間ｔ１以上継続して得られた場合にダイバーシチ利得を低下させ、そして、時間ｔ１を超えて時間ｔ２後の受信品質が第２の閾値以上得られた場合に、さらにダイバーシチ利得を低下させ、そして、ダイバーシチ利得を予め設定した下限まで低下させた状態で時間ｔ２後の受信品質が前記第２の閾値以上得られれば該当ブランチの停止制御を行い、ダイバーシチ利得を低下させて時間ｔ２後の受信品質が前記第２の閾値未満の場合は利得可変動作を中止する。
【００１５】
本発明のダイバーシチ受信装置において、前記制御部は、ＯＦＤＭ変調された信号に対し、時間インターリーブの範囲を決める伝送パラメータが変更された場合には時間インターリーブパラメータに対して予め設定された時間ｔ２を時間ｔ３に変更する。
【００１６】
本発明の携帯端末は、上記ダイバーシチ受信装置のいずれかを備えている。
【００１７】
本発明のダイバーシチ受信方法は、複数のブランチを使用したダイバーシチ受信と単一のブランチを使用したシングル受信とを切替えるダイバーシチ受信方法において、受信品質を検出すると共に、ダイバー合成／非合成する比率を周期的又はランダムに制御し、ダイバーシチ受信時にダイバー合成／非合成切替えを制御してダイバーシチ利得を一定値低下させた後、そのときの受信品質が予め設定した値以上であれば予め設定したブランチ又は受信品質の低いブランチの受信動作を停止する。
【００１８】
本発明のダイバーシチ受信方法は、複数のブランチを使用したダイバーシチ受信と単一のブランチを使用したシングル受信とを切替えるダイバーシチ受信方法において、受信品質を検出すると共に、各ブランチの高周波増幅回路の利得の調整又は各ブランチの出力に対する重み付けの調整によりダイバー合成／非合成切替えを制御し、ダイバーシチ受信時にはダイバー合成／非合成切替えを制御してダイバーシチ利得を一定値低下させた後、そのときの受信品質が予め設定した値以上であれば予め設定したブランチ又は受信品質の低いブランチの受信動作を停止する。
【発明の効果】
【００１９】
本発明のダイバーシチ受信装置は、ダイバーシチ受信を行うか否かの判定をフェージング状況に左右されることのない受信品質（例えば、ビットエラーレート又はパケットエラーレート）を用いて行うので、電界強度やフェージングピッチに基づいて判定を行う従来技術と比較して回路規模を小さくでき、コストの削減が可能となる。また、ダイバーシチ受信時にダイバーシチ利得を制御してダイバーシチ利得を一定値低下させた後、そのときの受信品質が予め設定した値以上であれば予め設定したブランチ又は受信品質の低いブランチの受信動作を停止させるので、消費電力の削減が可能となる。
【発明を実施するための最良の形態】
【００２０】
以下、本発明を実施するための好適な実施の形態について、図面を参照して詳細に説明する。
【００２１】
図１は、本発明の実施の形態１に係るダイバーシチ受信装置の概略構成を示すブロック図である。図１において、本実施の形態のダイバーシチ受信装置は、地上デジタル放送を受信可能な携帯端末に用いたものであり、第１のアンテナ１と、第１のアンテナ１で捉えられたデジタル変調波信号から所望のチャンネルの選局を行う第１のチューナ部２と、第１のチューナ部２で選局された信号の検波を行う第１の検波部３と、第２のアンテナ４と、第２のアンテナ４で捉えられたデジタル変調波信号から所望のチャンネルの選局を行う第２のチューナ部５と、第２のチューナ部５で選局された信号の検波を行う第２の検波部６と、第１の検波部３及び第２の検波部６それぞれで検波された信号をダイバーシチ信号処理するダイバーシチ部７と、ダイバーシチ部７でダイバーシチ信号処理された信号を復号する復号部８と、復号部８からの復号データからＢＥＲ（Bit Error Rate）やＰＥＲ（Packet Error Rate）、ＣＮＲ（Carrier to Noise Rate）などの受信品質を検出する受信品質検出部９と、受信品質検出部９からの受信品質を基にダイバーシチ受信の起動及び停止を制御する制御部１０と、を備えて構成される。
【００２２】
なお、第１のアンテナ１、第１のチューナ部２及び第１の検波部３は第１のブランチ１２を構成し、第２のアンテナ４、第２のチューナ部５及び第２の検波部６は第２のブランチ１３を構成する。本実施の形態は第１のブランチ１２と第２のブランチ１３を備えた２ブランチのダイバーシチ受信装置である。
【００２３】
第１のチューナ部２は、外部より電源のオン／オフを行える電源２Ａを備えており、制御部１０によって制御される。第２のチューナ部５は、第１のチューナ部２と同様に外部より電源のオン／オフを行える電源５Ａを備えており、制御部１０によって制御される。ダイバーシチ部７は、周知の最大比合成法によるダイバーシチを行う。なお、最大比合成法については、例えば「デジタル無線通信の変復調、斉藤洋一著、電子情報通信学会、１９０頁及び１９１頁」で説明されている。ダイバーシチ部７は、ダイバーシチ受信とシングル受信を切替えるダイバー合成／非合成切替え部１１を備えている。このダイバー合成／非合成切替え部１１は、ダイバーシチ受信動作をオン／オフする比を周期的又はランダムに制御するものであり、制御部１０によって制御される。
【００２４】
制御部１０は、シーケンサと、プログラム記憶領域としてのメモリと、擬似ランダム（ＰＮ：Pseudo Noise）信号の発生回路とを有している。制御部１０は、ダイバーシチ受信動作時に受信品質の１つであるＢＥＲに応じて単一ブランチ受信（シングル受信）とダイバーシチ受信の切替えの判断とダイバーシチ利得を変化させる制御を行う。なお、制御部１０をハードウエア論理回路で全てもしくはその一部を構成しても構わない。
【００２５】
次に、ダイバーシチ利得を変化させる具体的な方法について図２、図３及び図４を用いて説明する。図２は、ダイバーシチ受信時に制御部１０が発生するＰＮ信号の一例を示す図である。この図では、ダイバーシチ起動率２５％、ダイバーシチ起動率５０％、ダイバーシチ起動率７５％におけるＰＮ信号を示している。ＰＮ信号がＨｉのときはダイバーシチオン（即ちダイバーシチ受信動作）となり、Ｌｏｗのときはダイバーシチオフ(即ち単一ブランチ受信動作)となるように、制御部１０がダイバーシチ部７のダイバー合成／非合成切替え部１１を制御する。なお、図示しないがダイバーシチ起動率０％では全区間でダイバーシチオフ（Ｌｏｗ）、１００％では全区間でダイバーシチオン（Ｈｉ）となることは明白である。また、オンする時間の最小単位には特に制限はないが、概ねデータシンボル時間相当が望ましい。また、ダイバーシチ起動率の違いによるＰＮ信号の違いはない。
【００２６】
最大比合成によるダイバーシチ利得は、例えば図３に示すように、感度点Ｐ（２×１０−４）においてａ ｄＢ得られるものとする。なお、図３はビタビ復号後のＢＥＲの計算機シミュレーション結果例である。
【００２７】
図４は、ダイバーシチ部７のダイバー合成／非合成切替え部１１を、ダイバーシチ起動率０％、２５％、５０％、７５％、１００％で制御した場合のダイバーシチ利得の変化を示す図である。この図から分かるように、ダイバーシチ起動率を変化させることでダイバーシチ利得が可変する。ダイバー合成／非合成切替え部１１は、図３に示す特性を得るためのダイバーシチ部７の合成オン／オフを切替えるスイッチ処理部として機能する。この場合、合成オン時は、第１のブランチ１２の出力と第２のブランチ１３の出力を合成する。合成オフ時は、第１のブランチ１２の出力と第２のブランチ１３の出力を合成することなく、いずれか一方をそのまま出力する。
【００２８】
次に、本実施の形態に係るダイバーシチ受信装置の動作を説明する。但し、１セグメント放送を例に説明する。因みに、地上デジタルテレビジョン放送の送信スペクトルは、テレビジョン放送のチャンネル帯域幅を１４等分したＯＦＤＭ（Orthogonal Frequency Division Multiplexing）ブロック（ＯＦＤＭセグメントとも呼ばれる）を１３個連ねて構成される（「地上デジタルテレビジョン放送の伝送方式、標準規格、第２章ＩＳＤＢ−Ｔ方式の概要の８頁、社団法人電波産業会」参照）。
【００２９】
第１のアンテナ１及び第２のアンテナ４はそれぞれテレビＵＨＦ帯受信用のアンテナであり、また第１のチューナ部２及び第２のチューナ部５はそれぞれ１セグメント用受信チューナモジュールである。第１の検波部３及び第２の検波部６はそれぞれＦＦＴ（Fast Fourier Transform）とチャネル推定を行う。ダイバーシチ部７は、最大比合成のための位相と振幅調整とダイバーシチ動作のオン／オフを切替えるスイッチ処理を行う。復号部８は、周波数、時間のデインターリーブ処理とキャリア復調とビタビ復号とリードソロモン復号とを行い、ＴＳ（Transport Stream）パケット信号を送出する。受信品質検出部９は、単一ブランチ受信とダイバーシチ受信それぞれの状態におけるＢＥＲと第１のブランチ１２と第２のブランチ１３それぞれのＣＮＲ値を出力する。感度を定義する指標としてはビタビ復号後のＢＥＲが２×１０−４（感度点）以下である。これ以上のエラーが生じた場合には画像にノイズが生じるなどの劣化が発生する。
【００３０】
今、第１のブランチ１２による単一ブランチで受信していた場合、電車等での移動中や受信場所の変更等による受信環境の変化によって受信品質検出部９がＢＥＲ＞２×１０−４を検出すると即ち２×１０−４以上のエラーが生じたことを検出すると、制御部１０はダイバーシチ受信を開始するために、休止中の第２のブランチ１３に電源を投入してダイバーシチ受信を開始するように設定する。
【００３１】
ダイバーシチ受信の開始によって受信状態が安定し、受信品質検出部９がエラーが十分低い状態となったＢＥＲを検出すると即ちＢＥＲが２×１０−５以下になったことを検出すると、制御部１０は、受信品質検出部９からＣＮＲ値の低い側のブランチを特定する。そして、特定したブランチからの受信信号に対し、所定のＰＮ信号によりランダムなオン／オフ比で制御する。即ち、ダイバーシチ利得を変化させる。既に説明したように、ダイバーシチ起動率１００％、ダイバーシチ起動率７５％、ダイバーシチ起動率５０％、ダイバーシチ起動率２５％、ダイバーシチ起動率０％（単一ブランチ受信）の比率でダイバーシチ動作を制御することにより、図４に示すようにダイバーシチ利得を変化させることができる。したがって、制御部１０は、ダイバーシチ起動率を１００％から７５％に切替えてダイバーシチ利得を下げる。そして、ｔ１時間後にＢＥＲを観測し、ＢＥＲが２×１０−４以上であれば、ダイバーシチ停止判定動作を中止し、通常のダイバーシチ起動率１００％の動作状態に戻して受信を継続する。なお、ＢＥＲ観測までの待ち時間ｔ１は、時間インターリーブに関するパラメータであるＩ＝２では２フレーム、Ｉ＝４であれば４フレーム相当以上の時間であることが望ましい。
【００３２】
ダイバーシチ起動率を１００％から７５％に切替えてからｔ１時間後にＢＥＲを観測した際にＢＥＲが２×１０−４未満であれば、ダイバーシチ停止判定動作を継続してダイバーシチ起動率を７５％から５０％に切替える。そして、ｔ１時間後にＢＥＲを観測し、ＢＥＲが２×１０−４以上であれば、ダイバーシチ停止判定動作を中止し、ダイバーシチ起動率を１００％の動作状態に戻して受信を継続する。これに対して、ＢＥＲが２×１０−４未満であれば、ダイバーシチ起動率を２５％に切替えて同様の判断を行い、最終的に０％ダイバーシチ受信（単一ブランチ受信）でＢＥＲ＜２×１０−４の条件が成立した場合にＣＮＲを低いと特定したブランチの電源休止処理を実行して単一ブランチ受信に移行する。
【００３３】
このように本実施の形態のダイバーシチ受信装置によれば、ダイバーシチ受信時に、ダイバーシチ利得を徐々に低下させて単一ブランチ受信時の状態に近づけ、その過程での受信品質を示すＢＥＲを観察しながら制御の続行／停止判定を行うので、安定した受信特性を確保することができる。さらに、ダイバーシチ受信と単一受信の切替え判定を、判定パラメータとしてＢＥＲを用いることで、フェージング状況に拘わらず現在の受信特性を検出することができるので、様々なフェージング環境下でも安定してダイバーシチ停止の判定ができ、これによって、休止ブランチの電源（第１のチューナ部２の電源２Ａ又は第２のチューナ部５の電源５Ａ）を遮断することで消費電力を削減することができる。また、電界強度やフェージングピッチに基づいて判定を行う従来技術と比較して回路規模を小さくでき、コストの削減が可能となる。
【００３４】
なお、本実施の形態では、各判定動作の基準ＢＥＲ値（感度点）を２×１０−４としたが、（１）単一ブランチ受信からダイバーシチ受信を開始するためのＢＥＲ値、（２）ダイバーシチ起動率１００％からダイバーシチ利得可変動作を開始するためのＢＥＲ値、（３）ダイバーシチ利得可変開始からダイバーシチをさらに低下させる判定のためのＢＥＲ値をそれぞれ別個に設定しても構わない。ここで、例えば上記（２）と（３）を用いた例を説明する。ダイバーシチ受信時に受信品質が（２）のＢＥＲ値未満（第１の閾値以上）の状態を時間ｔ１以上継続して得られた場合にダイバーシチ利得を低下させ、そして、時間ｔ１を超えて時間ｔ２後の受信品質が（３）のＢＥＲ値未満（第２の閾値以上）得られた場合に、さらにダイバーシチ利得を低下させる。そして、ダイバーシチ利得を予め設定した下限まで低下させた状態で時間ｔ２後の受信品質が（３）のＢＥＲ値未満（第２の閾値以上）得られれば該当ブランチの停止制御を行い、ダイバーシチ利得を低下させて時間ｔ２後の受信品質が（３）のＢＥＲ値以上（第２の閾値未満）の場合は利得可変動作を中止する。
【００３５】
また、本実施の形態では、ＣＮＲが低いと特定したブランチの電源を遮断するとして説明したが、予め決められたブランチの電源を遮断するようにしても構わない。
【００３６】
また、本実施の形態では、第１のブランチ１２と第２のブランチ１３において、第１，第２のチューナ部２，５への電源供給を制御するようにしたが、第１，第２の検波部３，６を含めて電源供給を制御するようにしても良い。
【００３７】
次に、本発明の実施の形態２について説明する。図５は、本発明の実施の形態２に係るダイバーシチ受信装置の概略構成を示すブロック図である。前述した実施の形態１では、ダイバーシチ受信動作のオン／オフ比を周期的もしくはランダムに制御するようにしてダイバーシチ利得を変化させるようにしたが、本実施の形態では、第１のチューナ部２０の高周波増幅部２０Ａと第２のチューナ部５０の高周波増幅部５０Ａそれぞれの利得を制御するようにしてダイバーシチ利得を変化させるようにした点が異なっている。
【００３８】
そして、動作については、ダイバーシチ受信時に、予め設定したブランチ又は受信品質の低いブランチの高周波増幅部２０Ａ又は高周波増幅部５０Ａの利得を制御するようにして、ＢＥＲを観測してダイバーシチ停止判定を行う。このようにすることにより、前述した実施の形態１と同様にフェージング状況や伝送パラメータの条件に拘わらず現在の受信特性を検出することができ、様々なフェージング環境下でも安定してダイバーシチ停止判定を行え、これによって休止ブランチの電源（第１のチューナ部２０の電源２Ａ又は第２のチューナ部５０の電源５Ａ）を遮断することで消費電力を削減することが可能となる。なお、本実施の形態に係るダイバーシチ受信装置のダイバーシチ部７０は、ダイバーシチ動作のオン／オフを切替えるスイッチ処理は行わず、最大比合成のための位相と振幅調整のみ行う。なお、本実施の形態のダイバーシチ部７０は、第１のブランチ１２０の出力と第２のブランチ１３０の出力の合成又はいずれか一方をそのまま通過させるものであり、実施の形態１のダイバーシチ部７のようなダイバー合成／非合成切替え部１１は有していない。
【００３９】
このように本実施の形態のダイバーシチ受信装置によれば、予め設定したブランチ又は受信品質の低いブランチの高周波増幅部２０Ａ又は５０Ａの利得を制御するようにしたので、実施の形態１のダイバーシチ受信装置と同様に、安定した受信特性の確保と、ダイバーシチ停止判定による休止ブランチの消費電力の削減が可能となる。さらに従来技術と比べて回路規模を小さくでき、コストの削減が可能となる。
【００４０】
なお、上記実施の形態では、第１のチューナ部２０と第２のチューナ部５０の高周波増幅部２０Ａ，５０Ａの利得を制御するようにしたが、ダイバーシチ利得をブランチ間で重み付けを変えて制御しても良い。図６は、ブランチ間のＣＮ差によってダイバーシチ利得が変わる様子を示す例を示す図である。ダイバーシチ利得は、ブランチ間のＣＮ差が０ｄＢのときに最も大きくａ ｄＢとなり、ｂ ｄＢのときに最も小さく０ｄＢとなる。ブランチ間の利得を調整する以外に位相を調整するようにしても良い。
【００４１】
本発明を詳細にまた特定の実施態様を参照して説明したが、本発明の精神と範囲を逸脱することなく様々な変更や修正を加えることができることは当業者にとって明らかである。
【産業上の利用可能性】
【００４２】
本発明は、電界強度やフェージングピッチを検出することなく、一定の受信品質を保ちながら消費電力を最大限削減することができるといった効果を有し、地上デジタル放送を受信可能な携帯電話やカーナビゲーションなどへの適用が可能である。
【図面の簡単な説明】
【００４３】
【図１】本発明の実施の形態１に係るダイバーシチ受信装置の概略構成を示すブロック図
【図２】本発明の実施の形態１に係るダイバーシチ受信装置のダイバーシチ受信時における起動率を示す図
【図３】本発明の実施の形態１に係るダイバーシチ受信装置におけるダイバーシチ利得可変特性を示す図
【図４】本発明の実施の形態１に係るダイバーシチ受信装置におけるダイバーシチ起動率とダイバーシチ利得との関係を示す図
【図５】本発明の実施の形態２に係るダイバーシチ受信装置の概略構成を示すブロック図
【図６】本発明の実施の形態２に係るダイバーシチ受信装置におけるブランチ間ＣＮ差とダイバーシチ利得との関係を示す図
【図７】従来例のダイバーシチ受信装置の概略構成を示すブロック図
【符号の説明】
【００４４】
１  第１のアンテナ
２、２０  第１のチューナ部
２Ａ、５Ａ  電源
３  第１の検波部
４  第２のアンテナ
５、５０  第２のチューナ部
６  第２の検波部
７、７０  ダイバーシチ部
８  復号部
９  受信品質検出部
１０  制御部
１１  ダイバー合成／非合成切替え部
１２、１２０  第１のブランチ
１３、１３０  第２のブランチ
２０Ａ、５０Ａ  高周波増幅部
【図１】
0004574681.tif 000002
【図２】
0004574681.tif 000003
【図３】
0004574681.tif 000004
【図４】
0004574681.tif 000005
【図５】
0004574681.tif 000006
【図６】
0004574681.tif 000007
【図７】
0004574681.tif 000008